(57)【要約】      （修正有）【課題】構造が簡素で、操作が容易であり、安全性が高く、使用寿命が長いなどの長所を有するテンショナを提供する。【解決手段】テンショナ１０はベース２０、テンション機構１１、揺動部材３０、ラッチ装置４０及び１対のロープ５０，５３を備える。ベース２０は、互いに対向するように底板２１の両側に立設された１対の側片２２を有する。側片２２は、枢着孔２３及び切欠き２５をそれぞれ有する。切欠き２５の周囲壁面には、フック部２６が形成される。フック部２６には凹部２７が形成される。凹部２７は切欠き２５と連通する。底板２１は、固定部５１及び制限杆５２を有する。テンション機構１１は、２つの軸片１５及び２つの円棒１２を有する。軸片１５には、円状の凸部１８が突設され、凸部１８が側片２２の枢着孔２３に挿通され、軸片１５の残部は側片２２に当接されて外側面に位置する。【選択図】図１
0003188104.tif 000002
【実用新案登録請求の範囲】
【請求項１】
ベース、テンション機構、揺動部材、ラッチ装置及び１対のロープを備えたテンショナであって、
前記ベースは、互いに対向するように底板の両側に立設された１対の側片を有し、前記側片は、枢着孔及び切欠きをそれぞれ有し、前記切欠きの周囲壁面には、フック部が形成され、前記フック部には凹部が形成され、前記凹部は前記切欠きと連通し、前記底板は、固定部及び制限杆を有し、前記制限杆と前記ベースの前記底板との間には、チャネルが形成され、
前記テンション機構は、２つの軸片及び２つの円棒を有し、前記軸片には、円状の凸部が突設され、前記凸部が前記側片の前記枢着孔に挿通され、前記軸片の残部は前記側片に当接されて外側面に位置し、一方の前記軸片は２つの円孔を有し、他方の前記軸片は、非円形状の２つの噛合孔を有し、前記円棒の一端は、前記噛合孔に対応した形状を有する結合段を有し、前記結合段が前記噛合孔に結合され、前記円棒の残部は、前記円孔に挿設されるが前記噛合孔には挿通されず、前記円棒の他端は、前記軸片に当接されるヘッド部を有し、
前記揺動部材は、接続部及び２つの側翼を有し、前記接続部は前ストッパを有し、前記側翼は、前記接続部の両側にそれぞれ立設し、前記側翼のそれぞれは長形孔及び１対の駆動孔を有し、前記円棒を前記側翼の前記駆動孔へ挿通し、前記テンション機構を軸心として用い、緩み位置と締付け位置との間で前記揺動部材が往復運動し、
前記ラッチ装置は、摺動片及び弾性部材を含み、前記摺動片の両側には、扁平状の支持部が延設され、前記支持部間には押圧部が形成され、前記支持部を前記長形孔へ挿通させると前記側翼の外側から一部が突出し、前記押圧部が前記支持部により支えられながら前記側翼間で往復移動し、前記弾性部材の両端が前記押圧部及び前記前ストッパにそれぞれ当接され、前記押圧部が復位するのに必要な作用力を得て、
前記ロープは、前記ベースの前記底板の前記固定部に掛架される第１のロープと、前記ベースの前記チャネルに挿通されて前記テンション機構の前記円棒に掛架される第２のロープと、を含み、
前記揺動部材が前記締付け位置に変位すると、前記摺動片の両側に設けられた前記支持部が前記フック部下の前記凹部に係合され、前記テンション機構の前記円棒により前記第２のロープを牽引し、前記ベースの前記底板上方で元の位置よりも高い位置に維持され、他方の前記円棒により前記第２のロープを支えて締付け作用力を得て、ラッチ関係を解除すると前記揺動部材が前記緩み位置に変位し、前記テンション機構により前記第２のロープの前記円棒を牽引すると、前記ベースの前記底板上方で低めの位置に変位し、前記第２のロープの張力が開放されることを特徴とするテンショナ。
【請求項２】
前記側片のそれぞれは、前記切欠きから離れた一辺に形成される弧状縁部を有することを特徴とする請求項１に記載のテンショナ。
【請求項３】
前記底板は、２つの空隙により３つの部分に分離され、
前記固定部は、第１の空隙と、前記第１の空隙に隣接した前記弧状縁部とにより画成され、
前記空隙間に中間部位が形成され、残部を前記底板の末端部として用いることを特徴とする請求項２に記載のテンショナ。
【請求項４】
前記制限杆は、第２の空隙の上方に位置することを特徴とする請求項３に記載のテンショナ。
【請求項５】
前記円棒の前記結合段は、Ｄ字状の端面を有し、
前記軸片の前記噛合孔は、Ｄ字状の形状を有することを特徴とする請求項１〜４の何れか１項に記載のテンショナ。
【請求項６】
前記押圧部及び前記前ストッパは、彎曲方向が互いに反対の逆フック形状を有し、前記弾性部材を収納する収納空間を含み、前記弾性部材が不用意に外れることを防ぐように前記収納空間の両側に前記側翼が設けられていることを特徴とする請求項１〜４の何れか１項に記載のテンショナ。
【請求項７】
前記弾性部材は、波形の帯状金属であり、前記押圧部及び前記前ストッパに両端がそれぞれ当接され、前記摺動片を前記テンション機構に向けて押し動かし、前記押圧部の一部が常態下で前記接続部から露出されることを特徴とする請求項６に記載のテンショナ。
【考案の詳細な説明】
【技術分野】
【０００１】
本考案は、物品の梱包分野に関し、特に、ロープで物品を縛るテンショナに関する。
【背景技術】
【０００２】
従来、梱包を行うには、梱包物にゴム紐、麻紐、縄などを巻き付ける装置を使用することが一般的である。
【０００３】
ゴム紐は、一端が載置用具の側辺に固定され、他端にフックを有して載置用具の対辺へ掛架し、ゴム紐自体が有する伸縮特性を利用して物品を緊縛する。しかし、ゴム紐を強く引っ張るにはユーザの手による力を利用するため、手が疲れるだけでなく、好適な掛架位置を探すことが容易でなく、緊縛状態が緩んでしまう虞もあった。
【０００４】
麻ひも、縄などは、一般に中間部位を物品の外側に巻き付けてから両端を縛って結ぶが、縛る際に抑え付ける力が足りずに緩んでしまう虞があった。
【０００５】
そのため、効果的に梱包作業を完了させる技術が求められていた。
【考案の概要】
【考案が解決しようとする課題】
【０００６】
本考案は、構造が簡素で、操作が容易であり、安全性が高く、使用寿命が長いなどの長所を有するテンショナを提供することにある。
【課題を解決するための手段】
【０００７】
上記課題を解決するために、本考案の第１の形態によれば、ベース、テンション機構、揺動部材、ラッチ装置及び１対のロープを備えたテンショナであって、前記ベースは、互いに対向するように底板の両側に立設された１対の側片を有し、前記側片は、枢着孔及び切欠きをそれぞれ有し、前記切欠きの周囲壁面には、フック部が形成され、前記フック部には凹部が形成され、前記凹部は前記切欠きと連通し、前記底板は、固定部及び制限杆を有し、前記制限杆と前記ベースの前記底板との間には、チャネルが形成され、前記テンション機構は、２つの軸片及び２つの円棒を有し、前記軸片には、円状の凸部が突設され、前記凸部が前記側片の前記枢着孔に挿通され、前記軸片の残部は前記側片に当接されて外側面に位置し、一方の前記軸片は２つの円孔を有し、他方の前記軸片は、非円形状の２つの噛合孔を有し、前記円棒の一端は、前記噛合孔に対応した形状を有する結合段を有し、前記結合段が前記噛合孔に結合され、前記円棒の残部は、前記円孔に挿設されるが前記噛合孔には挿通されず、前記円棒の他端は、前記軸片に当接されるヘッド部を有し、前記揺動部材は、接続部及び２つの側翼を有し、前記接続部は前ストッパを有し、前記側翼は、前記接続部の両側にそれぞれ立設し、前記側翼のそれぞれは長形孔及び１対の駆動孔を有し、前記円棒を前記側翼の前記駆動孔へ挿通し、前記テンション機構を軸心として用い、緩み位置と締付け位置との間で前記揺動部材が往復運動し、前記ラッチ装置は、摺動片及び弾性部材を含み、前記摺動片の両側には、扁平状の支持部が延設され、前記支持部間には押圧部が形成され、前記支持部を前記長形孔へ挿通させると前記側翼の外側から一部が突出し、前記押圧部が前記支持部により支えられながら前記側翼間で往復移動し、前記弾性部材の両端が前記押圧部及び前記前ストッパにそれぞれ当接され、前記押圧部が復位するのに必要な作用力を得て、前記ロープは、前記ベースの前記底板の前記固定部に掛架される第１のロープと、前記ベースの前記チャネルに挿通されて前記テンション機構の前記円棒に掛架される第２のロープと、を含み、前記揺動部材が前記締付け位置に変位すると、前記摺動片の両側に設けられた前記支持部が前記フック部下の前記凹部に係合され、前記テンション機構の前記円棒により前記第２のロープを牽引し、前記ベースの前記底板上方で元の位置よりも高い位置に維持され、他方の前記円棒により前記第２のロープを支えて締付け作用力を得て、ラッチ関係を解除すると前記揺動部材が前記緩み位置に変位し、前記テンション機構により前記第２のロープの前記円棒を牽引すると、前記ベースの前記底板上方で低めの位置に変位し、前記第２のロープの張力が開放されることを特徴とするテンショナが提供される。
【０００８】
前記側片のそれぞれは、前記切欠きから離れた一辺に形成される弧状縁部を有することが好ましい。
【０００９】
前記底板は、２つの空隙により３つの部分に分離され、前記固定部は、第１の空隙と、前記第１の空隙に隣接した前記弧状縁部とにより画成され、前記空隙間に中間部位が形成され、残部を前記底板の末端部として用いることが好ましい。
【００１０】
前記制限杆は、第２の空隙の上方に位置することが好ましい。
【００１１】
前記円棒の前記結合段は、Ｄ字状の端面を有し、前記軸片の前記噛合孔は、Ｄ字状の形状を有することが好ましい。
【００１２】
前記押圧部及び前記前ストッパは、彎曲方向が互いに反対の逆フック形状を有し、前記弾性部材を収納する収納空間を含み、前記弾性部材が不用意に外れることを防ぐように前記収納空間の両側に前記側翼が設けられていることが好ましい。
【００１３】
前記弾性部材は、波形の帯状金属であり、前記押圧部及び前記前ストッパに両端がそれぞれ当接され、前記摺動片を前記テンション機構に向けて押し動かし、前記押圧部の一部が常態下で前記接続部から露出されることが好ましい。
【考案の効果】
【００１４】
本考案のテンショナは、構造が簡素で、操作が容易であり、安全性が高く、使用寿命が長いなどの効果を有する。
【図面の簡単な説明】
【００１５】
【図１】本考案の一実施形態に係るテンショナを示す分解斜視図である。
【図２】本考案の一実施形態に係るテンショナの揺動部材が緩み位置にあるときの状態を示す斜視図である。
【図３】本考案の一実施形態に係るテンショナの揺動部材が締付け位置にあるときの状態を示す斜視図である。
【図４】図２の線Ａ−Ａに沿った断面図である。
【図５】図３の線Ｂ−Ｂに沿った断面図である。
【考案を実施するための形態】
【００１６】
以下、本考案のテンショナについて、図面を参照しながら説明する。
【００１７】
図１及び図２を参照する。図１及び図２に示すように、本考案の一実施形態に係るテンショナ１０は、ベース２０に回動自在に取り付けられたテンション機構１１を有する。テンショナ１０は揺動部材３０を有する。揺動部材３０は、一端がラッチ装置４０に取り付けられ、他端がテンション機構１１に接続される。テンション機構１１は、軸心として用いられ、揺動部材３０を支えながら引張位置まで移動させ、ラッチ装置４０によりベース２０を対応した部位へ螺着させる。ラッチ関係を解除すると揺動部材３０が緩み位置に向けて移動する。
【００１８】
図１及び図２に示すように、テンション機構１１は、２つの円棒１２を含む。各円棒１２の一端には、ヘッド部１３が形成されている。ヘッド部１３は、扁平円盤状であり、棒胴体より大きい端面直径を有する。円棒１２の他端には、例えばＤ字状など、非円形状の端面を有する結合段１４が形成されている。
【００１９】
テンション機構１１は、ベース２０の両側にそれぞれ設けられた２つの軸片１５を有する。一方の軸片１５は２つの円孔１６を有し、ヘッド部１３が軸片１５に当接されるまで円棒１２が円孔１６に挿通される。他方の軸片１５は、２つの噛合孔１７を有する。噛合孔１７は、略Ｄ字状の形状を有し、孔径が棒本体より小さいため、結合段１４以外の円棒１２の残部が軸片１５の噛合孔１７に挿通されることがない。そのため、結合段１４の軸片１５を越える部分は、カシメ固定のように外方へ拡張し、軸片１５が結合段１４に留まり、円棒１２から外れることがない。また、各軸片１５の側面には、凸部１８が突設されている。凸部１８は、軸片１５の外径より小さい直径を有する円形状である。
【００２０】
上述のベース２０は１対の側片２２を有する。これら１対の側片２２は、互いに対向するように底板２１の両側に立設される。ベース２０はＵ字状の輪郭を有する。各側片２２の中間部位には、枢着孔２３が貫通されるように形成される。枢着孔２３の口径は凸部１８の直径より大きいが軸片１５の外径より小さいため、凸部１８を収容しながら軸片１５の残部が止められ、テンション機構１１全体は、２つの側片２２間に可動自在に取り付けられる。各側片２２には、一辺に形成された弧状縁部２４をそれぞれ有し、他辺の近接した箇所に切欠き２５が形成されている。切欠き２５の周囲壁面には、略口ばしのフック部２６が形成され、フック部２６の下部と切欠き２５の底面との間には、凹部２７が形成され、溝口が切欠き２５と連通する。
【００２１】
また、底板２１は略平坦であり、２つの空隙２８により３つの部分に分けられる。１つ目の空隙２８から隣接した弧状縁部２４までの部位は固定部５１に画成され、第１のロープ５０が固定部５１に掛架され、２つの空隙２８により、底板２１の中間部位が形成され、残部が底板２１の末端部として用いられる。底板２１の中間部位と、末端部に隣接した箇所には制限杆５２とが接続され、制限杆５２が第２の空隙２８の上方に位置し、底面から底板２１の頂面との間にはチャネル５４が形成され、第２のロープ５３の端部をチャネル５４へ挿通させ、２つの側片２２間に円棒１２を設ける。
【００２２】
続いて、揺動部材３０は、接続部３２の両側で折り曲げられた２つの側翼３１を有する。各側翼３１は、１対の駆動孔３３を有する。これら１対の駆動孔３３は、側翼３１の末端部に互いに対をなすように形成され、２つの円棒１２は、軸片１５が発生させる角度により制限され、側翼３１が円棒１２に取り付けられる。各側翼３１の前端部の接続部３２に隣接した箇所には長形孔３４が形成される。この接続部３２の幅は、側翼３１より小さく、長辺が折り曲げられて逆フック状の前ストッパ３５が形成される。
【００２３】
前述のラッチ装置４０は、摺動片４１と弾性部材４２との組み合わせにより構成される。摺動片４１の両側には、扁平状の支持部４３が延設され、２つの支持部４３間には、押圧部４４が形成される。これら２つの支持部４３の全長は、２つの側翼３１の間隔より大きく、支持部４３の幅が長形孔３４の長さより小さく、支持部４３を対応した長形孔３４へ挿入して側翼３１の外側面から支持部４３の一部が突出し、２つの側翼３１間で押圧部４４が往復移動すると、摺動片４１が揺動部材３０に対して往復運動を行う。
【００２４】
押圧部４４及び前ストッパ３５はともに逆フック状であるが、彎曲方向が反対であり、弾性部材４２の収納空間を構成し、弾性部材４２が不用意に外れることを防ぐために、収納空間の両側には側翼３１が設けられている。
【００２５】
本実施形態の弾性部材４２は、波形の帯状金属であり、両端が押圧部４４及び前ストッパ３５に当接される。前ストッパ３５が揺動部材３０により退かされて移動することがなく、弾性部材４２により支えられて摺動片４１をテンション機構１１に向けて押し動かし、押圧部４４の一部が常態下で接続部３２から露出された状態である。
【００２６】
図２及び図４に示すように、揺動部材３０は固定部５１の上方で横倒しにされ、テンション機構１１により第２のロープ５３の円棒１２が牽引されると、ベース２０の底板２１上空の低めの位置に変位し、第２のロープ５３の張力が緩まり、いわゆる「緩み位置」となる。このとき支持部４３が弧状縁部２４により拘束されずに、揺動部材３０が自由状態に維持される。
【００２７】
反対に、図３及び図５に示すように揺動部材３０が制限杆５２の上方で横倒しにされ、テンション機構１１により第２のロープ５３の円棒１２を牽引し、元の位置より高い位置でベース２０の底板２１の上方へ回転移動し、もう一つの円棒１２がロープを支えて対応した部位に一定の引っ張り作用力が形成され、第２のロープ５３の張力が高まり、いわゆる「締付け位置」となる。
【００２８】
このとき接続部３２が元の位置からベース２０の切欠き２５上方まで移動し、支持部４３が側翼３１を越えるとフック部２６の頂面傾斜に沿って案内され、方向を変えながら対応した凹部２７中に進入する。支持部４３が傾斜に沿って摺動し、フック部２６を越えると、押圧部４４に対して下圧外力に類似した力が加わり、摺動片４１が前ストッパ３５に向かって退縮して弾性部材４２を押圧する。支持部４３が凹部２７の溝口まで移動すると、フック部２６の頂面傾斜度により制限されることがなく、弾性部材４２の押圧変形により蓄勢された弾性回復力が開放され、押圧部４４を反対方向へ押圧して摺動片４１を元の位置へ戻し、支持部４３を凹部２７の深い箇所へ進入させると揺動部材３０が固定され、ラッチ関係の係合作用を得る。
【００２９】
弾性部材４２の弾性回復力よりも大きな力を弾性部材４２へ加え、押圧部４４を前方の前ストッパ３５へ向けて変位させると、支持部４３が凹部２７から退出されてフック部２６の係合有効範囲から外れてラッチ関係が解除され、再び揺動部材３０が自由状態に回復し、緩み位置に向かって移動することができるようになる。
【００３０】
上述したことから分かるように、本考案のテンショナは、非常に簡素な構造を有し、操作が容易なだけでなく安全性も高く、使用寿命が長いなどの長所を有する。
【００３１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３２】
１０  テンショナ
１１  テンション機構
１２  円棒
１３  ヘッド部
１４  結合段
１５  軸片
１６  円孔
１７  噛合孔
１８  凸部
２０  ベース
２１  底板
２２  側片
２３  枢着孔
２４  弧状縁部
２５  切欠き
２６  フック部
２７  凹部
２８  空隙
３０  揺動部材
３１  側翼
３２  接続部
３３  駆動孔
３４  長形孔
３５  前ストッパ
４０  ラッチ装置
４１  摺動片
４２  弾性部材
４３  支持部
４４  押圧部
５０  第１のロープ
５１  固定部
５２  制限杆
５３  第２のロープ
５４  チャネル
【図１】
0003188104.tif 000003
【図２】
0003188104.tif 000004
【図３】
0003188104.tif 000005
【図４】
0003188104.tif 000006
【図５】
0003188104.tif 000007